(57)【要約】【課題】  集中治療室等のＸ線検査を迅速に実行する必要がある検査場所において、装置が省電力モードとなることを防止することが可能な移動型Ｘ線検査装置を提供する。【解決手段】  移動型Ｘ線検査装置の制御部５０は、Ｘ線検査を実行する検査場所の情報を含むＸ線検査のオーダ情報を取得して記憶するオーダ情報記憶部５１と、装置が省電力モードとなることを許可する検査場所と禁止する検査場所とを表す省電力情報をテーブルとして記憶する省電力情報記憶部５２と、一定時間入力操作がされない場合に装置を通常起動モードから省電力モードに切り替える省電力制御部５３と、省電力情報記憶部５２に記憶された省電力情報と、オーダ情報記憶部５１に記憶したオーダ情報における検査場所の情報とに基づいて、省電力制御部５３により装置を省電力モードに切り替えることを禁止する省電力禁止部５４と、を備える。【選択図】        図３
2018068930.tif 000002
【特許請求の範囲】
【請求項１】
移動用の車輪を有する台車と、前記台車に支持部材を介して支持されたＸ線管とを備えた移動型Ｘ線検査装置において、
Ｘ線検査を実行する検査場所の情報を含むＸ線検査のオーダ情報を取得して記憶するオーダ情報記憶部と、
一定時間入力操作がされない場合に、装置を通常起動モードから省電力モードに切り替える省電力制御部と、
装置が省電力モードとなることを許可する検査場所と禁止する検査場所とを表す省電力情報を記憶する省電力情報記憶部と、
前記省電力情報記憶部に記憶された省電力情報と、前記オーダ情報記憶部に記憶したオーダ情報における検査場所の情報とに基づいて、前記省電力制御部により装置を省電力モードに切り替えることを禁止する省電力禁止部と、
を備えたことを特徴とする移動型Ｘ線検査装置。
【請求項２】
請求項１に記載の移動型Ｘ線検査装置において、
前記省電力禁止部は、省電力モードとなることが禁止された場所において検査開始の操作が実行されてから、検査終了の操作が実行されるまでの間、前記省電力制御部により装置を省電力モードに切り替えることを禁止する移動型Ｘ線検査装置。
【請求項３】
請求項１または請求項２に記載の移動型Ｘ線検査装置において、
前記装置が省電力モードとなることを禁止する検査場所は、集中治療室である移動型Ｘ線検査装置。
【請求項４】
請求項１から請求項３のいずれかに記載の移動型Ｘ線検査装置において、
前記オーダ情報記憶部は、病院内の無線ネットワークを介して前記オーダ情報を取得する移動型Ｘ線検査装置。
【発明の詳細な説明】
【技術分野】
【０００１】
この発明は、移動用の車輪を有する台車と、この台車に支持部材を介して支持されたＸ線管とを備えた移動型Ｘ線検査装置に関する。
【背景技術】
【０００２】
このような移動型Ｘ線検査装置は、回診用Ｘ線撮影装置とも呼称されるものであり、病室間を移動するために車輪が配設された台車を備え、支持部材により支持されたＸ線管から照射され、コリメータにより照射野が規制されたＸ線を被検者に照射し、被検者を通過したＸ線をフィルムにより撮影する構成を有する。このような移動型Ｘ線検査装置は、Ｘ線検査を外部電源のない場合を含む不特定の場所で行うことを可能するために、台車にＸ線管に高電圧を付与するためのバッテリを搭載している。
【０００３】
近年においては、フィルムに替えて、フラットパネルディテクタ等のデジタル式のＸ線検出器を備えた移動型Ｘ線検査装置が多用されるようになっている。このような移動型Ｘ線検査装置は、ＤＲ（Ｄｉｇｉｔａｌ  Ｒａｄｉｏｇｒａｐｈｙ）とも呼ばれ、フラットパネルディテクタ（Ｆｌａｔ  Ｐａｎｅｌ  Ｄｅｔｅｃｔｏｒ：ＦＰＤ）等のＸ線検出器により撮影した画像を、ＬＣＤ（Ｌｉｑｕｉｄ  Ｃｒｙｓｔａｌ  Ｄｉｓｐｌａｙ）等の表示部に即座に表示し得る構成となっている。このようなＤＲ方式の移動型Ｘ線検査装置において、フラットパネルディテクタと台車との間で無線通信により画像データを送信する構成のものも採用されている。
【０００４】
このようなバッテリを電源とする移動型Ｘ線検査装置では、バッテリへの１回の充電で長時間の使用ができるように、バッテリの消費電力を抑えることが求められる。このため、装置の電源スイッチがオン状態のときに、一定時間、使用者からの入力操作を行わなかった場合には、電力消費の小さい省電力モード（スリープモード）にすることが提案されている。そして、省電力モードとなった状態において、使用者による入力操作がなされたときには、装置は通常起動モードに復帰する構成となっている。
【０００５】
特許文献１においては、装置が移動状態となったときに、装置を省電力モードに切り替える放射線撮影装置が開示されている。
【先行技術文献】
【特許文献】
【０００６】
【特許文献１】特開２００６−１５８５０８号公報
【発明の概要】
【発明が解決しようとする課題】
【０００７】
装置が省電力モードとなった状態から通常起動モードに復帰するまでには、一定の時間を要する。一方、ＩＣＵ（Ｉｎｔｅｎｓｉｖｅ  Ｃａｒｅ  Ｕｎｉｔ／集中治療室）やＮＩＣＵ（Ｎｅｏｎａｔａｌ  Ｉｎｔｅｎｓｉｖｅ  Ｃａｒｅ  Ｕｎｉｔ／新生児特定集中治療室）等の集中治療室においては、各種の検査に迅速性が要求される。このような集中治療室において、装置が省電力モードに切り替わったときには、復帰に要する時間が経過するまでＸ線撮影を実行し得ないことから、Ｘ線検査を迅速に実行することが不可能となる。また、装置が省電力モードとなった状態においては、装置が正常動作をしていないと誤認される可能性があり、このような場合においても、装置の状態を確認する必要があることから、Ｘ線検査を迅速に実行することが不可能となる。
【０００８】
この発明は上記課題を解決するためになされたものであり、集中治療室等のＸ線検査を迅速に実行する必要がある検査場所において、装置が省電力モードとなることを防止することが可能な移動型Ｘ線検査装置を提供することを目的とする。
【課題を解決するための手段】
【０００９】
請求項１に記載の発明は、移動用の車輪を有する台車と、前記台車に支持部材を介して支持されたＸ線管とを備えた移動型Ｘ線検査装置において、Ｘ線検査を実行する検査場所の情報を含むＸ線検査のオーダ情報を取得して記憶するオーダ情報記憶部と、一定時間入力操作がされない場合に、装置を通常起動モードから省電力モードに切り替える省電力制御部と、装置が省電力モードとなることを許可する検査場所と禁止する検査場所とを表す省電力情報を記憶する省電力情報記憶部と、前記省電力情報記憶部に記憶された省電力情報と、前記オーダ情報記憶部に記憶したオーダ情報における検査場所の情報とに基づいて、前記省電力制御部により装置を省電力モードに切り替えることを禁止する省電力禁止部と、を備えたことを特徴とする。
【００１０】
請求項２に記載の発明は、請求項１に記載の発明において、前記省電力禁止部は、省電力モードとなることが禁止された場所において検査開始の操作が実行されてから、検査終了の操作が実行されるまでの間、前記省電力制御部により装置を省電力モードに切り替えることを禁止する。
【００１１】
請求項３に記載の発明は、請求項１または請求項２に記載の発明において、前記装置が省電力モードとなることを禁止する検査場所は、集中治療室である。
【００１２】
請求項４に記載の発明は、請求項１から請求項３のいずれかに記載の発明において、前記オーダ情報記憶部は、病院内の無線ネットワークを介して前記オーダ情報を取得する。
【発明の効果】
【００１３】
請求項１から請求項４に記載の発明によれば、集中治療室等のＸ線検査を迅速に実行する必要がある検査場所において、装置が省電力モードとなることを防止することが可能となる。このため、省電力モードによりバッテリーの消費電力を抑えることができるとともに、集中治療室等においては、迅速な検査を実行することが可能となる。
【図面の簡単な説明】
【００１４】
【図１】この発明に係る移動型Ｘ線検査装置の側面概要図である。
【図２】この発明に係る移動型Ｘ線検査装置の斜視図である。
【図３】この発明に係る移動型Ｘ線検査装置のブロック図である。
【図４】この発明に係る移動型Ｘ線検査装置によるモード切替工程を示すフローチャートである。
【発明を実施するための形態】
【００１５】
以下、この発明の実施の形態を図面に基づいて説明する。図１は、この発明に係る移動型Ｘ線検査装置の側面概要図である。また、図２は、この発明に係る移動型Ｘ線検査装置の斜視図である。
【００１６】
この移動型Ｘ線検査装置は、回診用Ｘ線撮影装置とも呼称されるものであり、複数の病室間を移動して、各病室においてＸ線検査を実行するものである。この移動型Ｘ線検査装置は、台車１５に配設された支柱１４と、この支柱１４に対して昇降可能な状態で配設されたアーム１３と、アーム１３の先端に配設されたＸ線管１１と、このＸ線管１１の下方に配設されたコリメータ１２と、コリメータ１２に付設されたハンドル２６と、Ｘ線管１１から照射され被検者を通過したＸ線を検出するためのＸ線検出器としてのフラットパネルディテクタ１６と、このフラットパネルディテクタ１６を収納するための収納部１７とを備える。
【００１７】
また、この移動型Ｘ線検査装置は、フラットパネルディテクタ１６により検出されたデジタル画像の表示部および各種の操作を入力する入力部として機能するタッチパネル式のＬＣＤから構成される表示・操作部２５を備える。さらに、この移動型Ｘ線検査装置は、方向変更用の車輪である左右一対の前輪２１と、駆動用の車輪である左右一対の後輪２２と、台車１５の進行方向を操作するための操作ハンドル１９とを備える。後輪２２は、台車１５内に配設されたモータの駆動により回転する。
【００１８】
アーム１３は、図１において実線で示す、台車１５を移動させるときにアーム１３を配置すべき位置である固定位置と、図１において仮想線で示す固定位置から上昇した撮影位置との間を昇降可能となっている。アーム１３が固定位置にある状態においては、アーム１３の下面はアームキャッチと呼称されるロック部１８に当接する。この状態においては、アーム１３の下面に配設されたピン２３がロック部１８に形成された穴部（図示せず）内に収納される。また、アーム１３は、図２に示すように、固定位置から上昇した状態で、支柱１４を中心に旋回する。
【００１９】
図３は、この発明に係る移動型Ｘ線検査装置のブロック図である。
【００２０】
この移動型Ｘ線検査装置は、プロセッサを備え、装置全体を制御する制御部５０を備える。この制御部５０は、病院内の無線ネットワークを介して、放射線情報システム（ＲＩＳ：Ｒａｄｉｏｌｏｇｙ  Ｉｎｆｏｒｍａｔｉｏｎ  Ｓｙｓｔｅｍｓ）１００と接続されている。この制御部５０は、無線ネットワークを介して、放射線情報システム１００から、医用画像のフォーマットとそれを扱う医用画像機器間の通信プロトコルを定義した標準規格であるＤＩＣＯＭや、このＤＩＣＯＭに対応した診断装置であるモダリティを管理するＭＷＭ（Ｍｏｄａｌｉｔｙ  Ｗｏｒｋｌｉｓｔ  Ｍａｎａｇｅｍｅｎｔ）等に適合したＸ線検査のオーダ情報を取得する。このＸ線検査のオーダ情報は、Ｘ線検査を実行する検査場所の情報を含んでいる。
【００２１】
また、この制御部５０は、上述した表示・操作部２５と接続されている。なお、この制御部５０は、上述したＸ線管１１およびコリメータ１２と有線により電気的に接続されるとともに、上述したフラットパネルディテクタ１６とＷｉｆｉ等の無線通信手段により接続されている。
【００２２】
さらに、この制御部５０は、機能的構成として、上述したＸ線検査を実行する検査場所の情報を含むＸ線検査のオーダ情報を取得して記憶するオーダ情報記憶部５１と、装置が省電力モードとなることを許可する検査場所と禁止する検査場所とを表す省電力情報をテーブルとして記憶する省電力情報記憶部５２と、一定時間入力操作がされない場合に装置を通常起動モードから省電力モードに切り替える省電力制御部５３と、省電力情報記憶部５２に記憶された省電力情報と、オーダ情報記憶部５１に記憶したオーダ情報における検査場所の情報とに基づいて、省電力制御部５３により装置を省電力モードに切り替えることを禁止する省電力禁止部５４と、を備える。
【００２３】
なお、省電力情報記憶部５２に記憶される省電力情報のうち、装置が省電力モードとなることを禁止する検査場所は、例えば、ＩＣＵやＮＩＣＵ等の集中治療室である。また、装置が省電力モードとなることを許可する検査場所は、上述した装置が省電力モードとなることを禁止する検査場所以外の検査場所である。
【００２４】
次に、以上のような構成を有する移動型Ｘ線検査装置において、省電力モードと通常起動モードとを切り替えるモード切替動作について説明する。図４は、この発明に係る移動型Ｘ線検査装置によるモード切替工程を示すフローチャートである。
【００２５】
Ｘ線検査を実行する前には、この発明に係る移動型Ｘ線検査装置は、オペレータにより検査を実行する場所まで移動される。このときには、Ｘ線検査を実行する検査場所の情報を含む複数のＸ線検査のオーダ情報は、制御部５０により、病院内の無線ネットワークを介して放射線情報システム１００から取得され、オーダ情報記憶部５１に記憶されている。
【００２６】
この状態において、オペレータは、表示・操作部２５を操作することにより、オーダ情報記憶部５１に記憶された複数のオーダ情報のうち、次に検査を実行するオーダ情報を選択する（ステップＳ１）。そして、オペレータにより、表示・操作部２５を使用して検査開始の操作が実行されたときには（ステップＳ２）、省電力禁止部５４の作用により、オーダ情報記憶部５１に記憶されたオーダ情報に基づいて、検査を実行する検査場所のデータが読み込まれる。そして、省電力情報記憶部５２に記憶された装置が省電力モードとなることを許可する検査場所と禁止する検査場所とを表す省電力情報と、検査場所の情報とに基づいて、検査が実行される検査場所が省電力モードとなることが許可された場所であるか禁止された場所であるかが判断される（ステップＳ３）。
【００２７】
検査場所が省電力モードとなることが禁止された場所であった場合には、省電力禁止部５４は、省電力制御部５３が装置を省電力モードに切り替えることを禁止する（ステップＳ４）。この省電力モードとなることが禁止された状態は、オペレータにより、表示・操作部２５を使用して検査終了の操作が実行されるまで継続される（ステップＳ５）。
【００２８】
これにより、集中治療室等において、装置が省電力モードに切り替わることにより、復帰に要する時間が経過するまでＸ線撮影を実行することができず、Ｘ線検査を迅速に実行することが不可能となることが防止される。また、装置が省電力モードとなることにより、装置が正常動作をしていないと誤認されることを防止することができることから、装置の状態を確認する必等という特別の動作は不要となり、Ｘ線検査を迅速に実行することが不可能となる。
【００２９】
そして、検査終了の操作が実行されれば、省電力モードが有効化され、省電力禁止部５４は、省電力制御部５３が装置を省電力モードに切り替えることを許可する（ステップＳ６）。
【００３０】
一方、オペレータにより、表示・操作部２５を使用して検査開始の操作が実行されたときにおいて、検査場所が省電力モードとなることが許可された場所であった場合においても、省電力モードが有効化され、省電力禁止部５４は、省電力制御部５３が装置を省電力モードに切り替えることが許可される（ステップＳ６）。
【００３１】
これにより、一定時間、使用者からの入力操作を行わなかった場合には、装置は電力消費の小さい省電力モードとなり、表示・操作部２５への画像の表示や各種にスイッチ類の点灯、あるいは、制御部５０とフラットパネルディテクタ１６とのＷｉｆｉ等による無線接続等が停止される。このため、バッテリの消費電力が抑えられ、バッテリへの１回の充電で長時間の使用が可能となる。
【符号の説明】
【００３２】
１１      Ｘ線管
１２      コリメータ
１３      アーム
１４      支柱
１５      台車
１６      フラットパネルディテクタ
１８      ロック部
２５      表示・操作部
５０      制御部
５１      オーダ情報記憶部
５２      省電力情報記憶部
５３      省電力制御部
５４      省電力禁止部
１００    放射線情報システム
【図１】
2018068930.tif 000003
【図２】
2018068930.tif 000004
【図３】
2018068930.tif 000005
【図４】
2018068930.tif 000006